(57)【要約】１つの例示的な実施形態として、非導電性基板と、該非導電性基板の表面に配置された複数の導電体とを含む平板状カードである。前記導電体は、互いに接続されて、導電線の端部に位置する導電性幾何学的形状に接続された前記導電線のパターンを形成する。スイッチは、２つの前記導電性幾何学的形状の間に配置され、開状態と閉状態との間で切り替え可能である。【選択図】    図３
2019522262.tif 000002
【特許請求の範囲】
【請求項１】
非導電性基板と、
前記非導電性基板の表面に配置され、互いに接続されて、導電線の端部に位置する導電性幾何学的形状に接続された前記導電線のパターンを形成する複数の導電体と、
２つの前記導電性幾何学的形状の間に配置され、開状態と閉状態との間で切り替え可能なスイッチとを含み、
前記導電線及び前記導電性幾何学的形状は、前記スイッチが前記開状態にあるとき、前記平面状カードの第１のユニークＩＤに対応する第１のパターンを形成し、
前記導電線及び前記導電性幾何学的形状は、前記スイッチが前記閉状態にあるとき、前記平面状カードの第２のユニークＩＤに対応する第２のパターンを形成する、平面状カード。
【請求項２】
前記第１のパターン及び前記第２のパターンは、前記平面状カードが前記タッチスクリーンディスプレイに対して置かれるとき、前記導電線及び前記導電性幾何学的形状が位置するタッチスクリーンディスプレイの座標における電界の変化をもたらす請求項１に記載の平面状カード。
【請求項３】
前記第１のパターン及び前記第２のパターンは、星形及び多角形のいずれかに形成している請求項１に記載の平面状カード。
【請求項４】
前記平面状カードを、前記第１のユニークＩＤを有するものから前記第２のユニークＩＤを有するものに変更するために、所定時間後に、前記スイッチは、前記開状態から前記閉状態に切り替える請求項１に記載の平面状カード。
【請求項５】
前記導電性幾何学的形状は、０．２センチメートルを超える直径を有する円形を含む請求項１に記載の平面状カード。
【請求項６】
前記スイッチは、微小電気機械システム（ＭＥＭＳ）デバイス、バイポーラ接合トランジスタ、電界効果トランジスタ、光電スイッチ、デジタルリレー及び機械式リレーから選択される請求項１に記載の平面状カード。
【請求項７】
前記導電線は、正方形、円形、三角形、星形及び他の多角形のいずれかに形成している導電性端部を含む請求項１に記載の平面状カード。
【請求項８】
前記平面状カードがリーダーのタッチスクリーンディスプレイに隣接して位置する持続時間を記憶するメモリをさらに含む請求項１に記載の平面状カード。
【請求項９】
リーダーによって実行されて、電子デバイスの識別を決定する方法であって、
前記電子デバイスが前記リーダーのタッチスクリーンディスプレイに接触するとき、前記電子デバイスの非導電性基板上の導電線の端部に位置する導電性幾何学的形状に接続された前記導電線によって形成されたパターンを前記リーダーによって読み取るステップと、
前記導電線の端部に配置された前記導電性幾何学的形状に接続された前記導電線によって形成された前記パターンに基づいて、前記電子デバイスの識別を前記リーダーによって決定するステップと、
前記リーダーの前記タッチスクリーンディスプレイに前記電子デバイスの前記識別を前記リーダーによって表示するステップとを含み、
前記パターンは、前記導電性幾何学的形状の間に配置され、開状態と閉状態との間で切り替え可能な複数のスイッチを含み、
前記導電線及び前記導電性幾何学的形状は、前記スイッチが前記開状態にあるとき、前記電子デバイスの第１のユニークＩＤに対応する第１のパターンを形成し、
前記導電線及び前記導電性幾何学的形状は、前記スイッチが前記閉状態にあるとき、前記電子デバイスの第２のユニークＩＤに対応する第２のパターンを形成する、方法。
【請求項１０】
前記スイッチをオン・オフすることによって、前記電子デバイスの前記パターン及びユニークＩＤを変更するステップをさらに含む請求項９に記載の方法。
【請求項１１】
前記電子デバイスを、第１のユニークＩＤを有するものから第２のユニークＩＤを有するものに変更するために、所定時間後に、スイッチが前記開状態から前記閉状態に切り替える請求項９に記載の方法。
【請求項１２】
前記導電線の端部に位置する前記導電性幾何学的形状に接続された前記導電線によって形成された前記第１のパターンを読み取ると、前記電子デバイスに関連付けられた第１の金銭的価値を前記リーダーによって検索するステップと、
前記導電線の端部に位置する前記導電性幾何学的形状に接続された前記導電線によって形成された前記第２のパターンを読み取ると、前記電子デバイスに関連付けられた第２の金銭的価値を前記リーダーによって検索するステップとをさらに含む請求項９に記載の方法。
【請求項１３】
前記電子デバイスが前記リーダーの前記タッチスクリーンディスプレイに接触することに応答して、複数のスイッチのうちの１つ又は複数をオン・オフすることによって、前記電子デバイスに関連付けられた金銭的価値を変更するステップをさらに含む請求項９に記載の方法。
【請求項１４】
前記電子デバイスが前記リーダーの前記タッチスクリーンディスプレイに隣接して位置する持続時間を前記リーダーによって記録するステップと、
前記持続時間の所定時間満了後に、前記複数のスイッチのうちの１つ又は複数をオン・オフするステップと、をさらに含む請求項９に記載の方法。
【請求項１５】
非導電性基板と、前記非導電性基板の表面に配置され、互いに接続されて、導電線の端部に位置する導電性幾何学的形状に接続された前記導電線のパターンを形成する複数の導電体と、前記２つの導電性幾何学的形状の間に配置され、開状態と閉状態との間で切り替え可能なスイッチとを含む平面状カードと、
前記平面状カードが前記タッチスクリーンディスプレイに接触するとき、前記平面状カードの前記非導電性基板の表面に形成された前記パターンを読み取るタッチスクリーンディスプレイを有する電子デバイスとを含み、
前記導電線及び前記導電性幾何学的形状は、前記スイッチが前記開状態にあるとき、前記平面状カードの第１のユニークＩＤに対応する第１のパターンを形成し、
前記導電線及び前記導電性円形は、前記スイッチが前記閉状態にあるとき、前記平面状カードの第２のユニークＩＤに対応する第２のパターンを形成する電子システム。
【請求項１６】
前記スイッチは、前記平面状カードが前記電子デバイスの前記タッチスクリーンディスプレイに接触することに応答して状態を切り替える請求項１５に記載の電子システム。
【請求項１７】
前記スイッチは、前記平面状カードが前記タッチスクリーンディスプレイに所定時間接触することに応答して状態を切り替える請求項１５に記載の電子システム。
【請求項１８】
前記導電性幾何学的形状は、０．４センチメートルを超える直径を有する円形を含む請求項１５に記載の電子システム。
【請求項１９】
前記非導電性基板に形成された前記パターンは、星形、箱形、多角形のいずれかを含む請求項１５に記載の電子システム。
【請求項２０】
前記平面状カードがリーダーの前記タッチスクリーンディスプレイに隣接して位置する持続時間を記憶する前記平面状カードに配置されたメモリをさらに含む請求項１５に記載の電子システム。
【発明の詳細な説明】
【技術分野】
【０００１】
本出願は、２０１６年５月１３日に米国特許商標庁（ＵＳＰＴＯ）に出願された米国特許出願第１５／１５３，７３３号の優先権を主張し、参照によりその全体が本明細書に組み入れられている。
【０００２】
本発明は、タッチスクリーンディスプレイで読み取り可能な導電パターンを有する基板を含むシステム及び方法に関する。
【背景技術】
【０００３】
電子カードとタッチスクリーンを有する電子デバイスとの間の容量性結合を介した情報の記憶と送信に進歩が見られている。カードがタッチスクリーンに接触して置かれるとき、情報は、カードから電子デバイスに送信される。
【０００４】
容量性結合を介して情報を記憶し送信する新しい方法及び装置は、技術的ニーズを促進し、技術的問題を解決することに役立つ。
【発明の概要】
【０００５】
１つの例示的な実施形態は、非導電性基板と、該非導電性基板の表面に配置された複数の導電体とを含む導電パターンを有する基板である。導電体は、互いに接続されて、導電線の端部に位置する導電性幾何学的形状に接続された導電線のパターンを形成する。スイッチは、２つの導電性幾何学的形状の間に配置され、開状態と閉状態との間で切り替え可能である。
【０００６】
他の例示的な実施形態を本明細書で説明する。
【図面の簡単な説明】
【０００７】
【図１Ａ】図１Ａは、例示的な実施形態に係る、リーダーによって実行され導電パターンを有する基板の識別を決定する方法を示す。
【図１Ｂ】図１Ｂは、例示的な実施形態に係る、容量性タッチスクリーンによって読み取られる基板上の幾何学的パターンを変更する方法を示す。
【図２】図２は、例示的な実施形態に係る電子システムを示す。
【図３】図３は、例示的な実施形態に係る導電パターンを有する基板を示す。
【図４】図４は、もう１つの例示的な実施形態に係る導電パターンを有する基板を示す。
【図５Ａ】図５Ａは、例示的な実施形態に係る導電パターンを有する基板を示す。
【図５Ｂ】図５Ｂは、例示的な実施形態に係る、リーダーによって復号されるテーブルを示す。
【図６】図６は、例示的な実施形態に係る、物品の表面に取り付けられた導電パターンを有する曲面基板を示す。
【図７】図７は、例示的な実施形態に係る、スマートフォンのカバーに取り付けられた導電パターンを有する基板を示す。
【図８Ａ】図８Ａは、例示的な実施形態に係る導電パターンを有する基板の断面図を示す。
【図８Ｂ】図８Ｂは、例示的な実施形態に係る導電パターンを有する基板の上面図を示す。
【図８Ｃ】図８Ｃは、例示的な実施形態に係る導電パターンを有する基板の底面図を示す。
【発明を実施するための形態】
【０００８】
例示的な実施形態は、導電パターンを有する基板上の情報を決定する装置及び方法に関する。基板は、オン・オフして、容量性タッチスクリーンによって読み取り可能な導電性領域のパターンを変更する１つ又は複数のスイッチを含む。
【０００９】
タッチスクリーンデバイスは、ゲーム機、パソコン、タブレットコンピュータ、電子投票機及びスマートフォンのような電子デバイスに存在している。これらのタッチスクリーンデバイスは、例示的な実施形態の非導電性基板に形成されたパターンに埋め込まれた情報を読み取ることができる。この基板は、作動・停止されて基板に形成されたパターンを変更し、基板に記憶された情報を順に変更又は修正することができる１つ又は複数のスイッチを含む。
【００１０】
例示的な実施形態の基板は、様々な形状を含み、様々な種類の電子デバイス及び非電子デバイスで具現されるか、又はそれらに含まれる。一例として、基板は、名刺、クレジットカード、ゲームカード、又は他のハンドヘルドカードのような平板状又は平面状カードに形成することができる。もう１つの例として、基板は、スマートフォンに埋め込まれる、玩具に埋め込まれる、カバー又はケースに取り付けられる、製造物の織物に織り込まれるなどのように、製品に含まれるか、又は埋め込まれて良い。さらにもう１つの例として、基板は、湾曲したり、屈曲したり、又は折り畳み可能であるような様々なサイズ及び形状を有することができる。基板のサイズ及び形状は、例えば、スイッチの数量及び種類、記憶及び／又は送信される情報の量、基板が使用される位置、基板がプロセッサ又はコントローラを含むか否かなどに応じて異なり得る。
【００１１】
例示的な実施形態では、基板は、タッチポイントを形成して容量性タッチスクリーンに触れるユーザの指先をシミュレートする導電体が埋め込まれる。タッチポイントは、タッチスクリーン及びタッチスクリーンを有する電子デバイスによって読み取られる情報担体として機能する。一例として、例示的な実施形態の基板は、ゲーム、発券、会員識別、偽造防止及び他の技術分野のような多くの分野で用いることができる。
【００１２】
例示的な実施形態は、複数の導電体と、非導電性基板上に又は該非導電性基板内に配置されたスイッチとを有する非導電性基板を含む。導電体は、互いに接続されて、導電線のパターン及び導電性幾何学的形状を形成する。これらの幾何学的形状は、容量性タッチスクリーン上の位置を作動するタッチポイントとして機能する。幾何学的形状又はタッチポイントは、導電線の端部に位置するか、又は該導電線に沿って位置することができる。
【００１３】
いくつかの容量性タッチスクリーンは、透明導電体で被覆された絶縁体（例えば、ガラス）を含む。導電体がスクリーンの表面に接触又は近接するとき、スクリーンの静電界が歪み、静電容量の測定可能な変化を生じる。この静電容量の変化の位置は、処理のためにコントローラに送られる。
【００１４】
タッチスクリーン上の導電体は、人間の指、又は例示的な実施形態の非導電性基板に位置する幾何学的形状又はタッチポイントのような他の導電体であって良い。基板がタッチスクリーンに接触又は近接するとき、基板上に又は該基板内に位置する幾何学的形状又はタッチポイントの各位置にコンデンサが形成される。これらのタッチポイントは、タッチスクリーン上の位置に接触、又はそうでなければ該位置を作動する人間をエミュレート又はシミュレートする。電子デバイス内のコントローラ又はプロセッサは、タッチスクリーンの角又は側面のようなタッチスクリーン上の位置から測定された静電容量の変化又は電圧の変化から、これらの形状又は点の位置を決定する。例えば、各幾何学的形状又はタッチポイントは、タッチスクリーンの行トレース及び列トレースによって形成される位置にコンデンサを生成する。タッチスクリーン上のいくつかの容量性Ｘ−Ｙグリッド位置又は交差点は、タッチスクリーンの種類及びサイズに応じて異なり得る。
【００１５】
例示的な実施形態では、１つ又は複数のスイッチは、導電線及びタッチポイントに配置されるか、又は該導電線及びタッチポイントと電気通信する。スイッチは、開位置又は状態と閉位置又は状態との間で切り替え可能である。スイッチは、導電線及びタッチポイントによって形成されてタッチスクリーンによって読み取られる幾何学的パターンの構成を変更又は修正することができる。スイッチは、タッチポイントをオンにし（例えば、タッチポイントに接続されたスイッチが閉位置にあるとき）、タッチポイントをオフにすることもできる（例えば、タッチポイントに接続されたスイッチが開位置にあるとき）。
【００１６】
導電性幾何学的形状又はタッチポイントは、様々な形状を有することができ、正方形、円形、三角形、星形及び他の多角形のうちの１つ又は複数を含むが、これらに限定されない。例示的な実施形態では、タッチポイントは、０．４センチメートルを超える直径を有する円形形状を有し、タッチスクリーンデバイスと結合するのに十分な面積を可能にする。もう１つの例示的な実施形態では、タッチポイントは、より小さい円であるか、又は２つの導電線の交差点に形成されるような０．４センチメートル未満の直径を有する。例えば、タッチポイントは、０．３センチメートル以上、０．２センチメートル以上、又は０．１センチメートル以上の直径を有する。さらにもう１つの例として、２つの導電線が交差するところにタッチポイントが生じる。さらに、当業者は、これらの例示的な寸法が円形及び三角形、正方形、五角形、卵形、楕円形、他の多角形と非多角形のような他の形状に適用することを理解するであろう。
【００１７】
導電線及びタッチポイントは、基板のユニークＩＤに対応するパターンを形成する。パターンは、１つ又は複数のスイッチが開状態と閉状態との間で切り替えるときに変更可能である。従って、ユーザ又は電子デバイスは、１つ又は複数のスイッチをオン・オフすることによって、基板に記憶されたアイデンティティ又は情報を変更することができる。基板上の各ユニークパターン又はスイッチング構成は、ユニークなアイデンティティ又は特定情報に関連付けることができる。スイッチは、作動・停止されて（例えば、基板に位置するプロセッサ又はコントローラを用いて）、データビット、データバイト、又はデータブロックのような情報をタッチスクリーンに送信することができる。
【００１８】
いくつかのユニークパターン又は構成は、いくつかの導電線及びタッチポイントに依存する。平面状カードが、ＡとＢとの間に配置された導電線と、ＢとＣとの間に配置される導電線とを有する３つのタッチポイントＡ、Ｂ及びＣを有するという例を考えよう。２つのスイッチＰ及びＱは、それぞれ２つの導電線に配置される。スイッチＰは、ＡとＢとの間に置かれ、スイッチＱは、ＢとＣとの間に置かれる。スイッチＰ及びＱをオン・オフすることによって、この構成によって合計４つのパターンを形成することができる。当業者であれば、パターンの数は、スイッチの数、スイッチの構成、導電線の数、タッチポイントの数、及び他の要因のような様々な要因に応じて異なり得ることを理解するであろう。
【００１９】
図１Ａは、タッチスクリーンを有する電子デバイス又はリーダーによって実行され、導電パターンを有する非導電性基板の識別を決定する方法を示す。
【００２０】
ブロック１１０は、基板がタッチスクリーンに隣接するとき、非導電性基板上の導電線の端部に位置する導電性幾何学的形状に接続された導電線によって形成されたパターンを読み取ることを示す。
【００２１】
平面状カードが、オン・オフして、基板に形成された導電パターンを変更することができる複数のスイッチを有する非導電性基板を含むという例を考えよう。カードがタッチスクリーン又はその近くに位置すると、カード上のパターンは、タッチスクリーン上の位置を作動する。これらの位置の作動は、タッチスクリーンを含む電子デバイス又はそれと通信する電子デバイスに情報を提供する。カードに形成されたパターンは、導電性幾何学的形状の間に配置されて開状態と閉状態との間で切り替え可能な１つ又は複数のスイッチを含む。
【００２２】
１つの例示的な実施形態では、スイッチは、バイポーラ接合トランジスタ（ＢＪＴ）、電界効果トランジスタ（ＦＥＴ）、微小電気機械システム（ＭＥＭＳ）、光電スイッチ、デジタル又は機械式リレー、及び電流又は電圧の流れを有効又は無効にする他のスイッチ機構のうちの１つ又は複数を含むが、これらに限定されない。一例として、導電線の端部に位置する２つのタッチポイントが互いに接続されるか又は切断されるように、光線がスイッチに入射するとき、光電スイッチは、オン又はオフになる。
【００２３】
一例として、各スイッチの開状態及び閉状態は、基板の異なるパターンを示す。各パターンは、基板のユニークＩＤに対応する。基板がハンドヘルドポータブルカードであるという例を考えよう。カードは、特定の情報（カードのアイデンティティを読み取ることに応答して記憶及び検索される情報など）、特定の権利又は特権（電子デバイスへのアクセス権又はアクセス特権など）、ユーザ認証などを含むようプログラム制御可能である。スイッチを介してパターンを変更することによって、複数のＩＤ又はユニークな情報セットを同一のカードに記憶するか、又は該同一のカードに関連付けることができる。従って、単一のカードは、より高いデータ記憶容量を有することができる。
【００２４】
例示的な実施形態では、特定の時系列で、スイッチをオン状態とオフ状態との間で切り替えることによって、追加データは基板に記憶される。例えば、スイッチＱをオンにした後にスイッチＰをオンにすることは、スイッチＰをオンにした後にスイッチＱをオンにすることと比較して、異なる識別に対応する。
【００２５】
ブロック１２０は、導電線の端部に位置する導電性幾何学的形状に接続された導電線によって形成されたパターンに基づいて基板の識別を決定することを示す。
【００２６】
一例として、導電線又は導電性幾何学形状に接触又は隣接するタッチスクリーンディスプレイの座標における電界は、パターン認識装置がパターンを認識して基板の識別を決定するように変更される。
【００２７】
カード上のタッチポイントの幾何学的パターンがタッチスクリーン上の複数のＸ−Ｙグリッド位置を作動するという例を考えよう。コントローラは、これらの作動されたグリッド位置を受信し、どのグリッド位置が作動されているかに基づいてカードの識別を（例えば、ルックアップテーブル又は他のメモリから）検索する。この識別は、さらに、どのグリッド位置が作動されていないかに基づいて行うことができる。
【００２８】
ブロック１３０は、タッチスクリーンディスプレイ上の基板の識別を表示することを示す。
【００２９】
基板が識別されると、コントローラは、ＩＤに関連付けられた情報を検索する。例えば、タッチスクリーンは、ＩＤに関連付けられた１つ又は複数の画像を表示する。もう１つの例として、タッチスクリーンは、ＩＤに関連付けられたソフトウェアプログラムへのユーザアクセスを作動し、実行又は許可する。もう１つの例として、基板に記憶されるか、又は基板に関連付けられた金銭的価値は、基板が、クレジットカードとしての支払い、近距離無線通信（ＮＦＣ）カードとしての支払い、又はゲームアプリケーションのための支払いのようなお金、クレジット、又はトークンの支払いを伴う取引に使用される場合にディスプレイに表示される。例えば、基板は、サーバ上に記憶された１つ又は複数の金銭的価値に関連付けられたユニークな番号又はアイデンティティを記憶する。
【００３０】
図１Ｂは、容量性タッチスクリーンによって読み取られる基板上の幾何学的パターンを変更する方法を示す。
【００３１】
ブロック１５０は、基板に形成された導電性幾何学的形状に接続された導電線のパターンに基づいて、導電パターンを有する非導電性基板のユニークなアイデンティティを提供することを示す。
【００３２】
一例として、タッチスクリーンデバイス内のパターン認識装置は、読み取られたパターンをデータベース内の予め記憶されたパターンと比較して、基板のアイデンティティを決定する。
【００３３】
ブロック１６０は、導電線上及び導電性幾何学的形状間の１つ又は複数のスイッチをオン／オフに切り替えることによって、パターン及び基板のユニークなアイデンティティを変更することを示す。
【００３４】
一例として、各パターンは、基板のユニークなアイデンティティに対応する。パターンは、スイッチが開状態と閉状態との間で切り替えるときに変更可能である。例えば、電界効果トランジスタがスイッチとして使用される場合、スイッチング機能は、ゲート−ソース電圧を変化させることによって行われる。
【００３５】
図２は、例示的な実施形態に係る電子システム２００を示す。電子システム２００は、サーバ２２０と、データベース２５０と、導電パターンを有する非導電性基板２３０Ａ及び２３０Ｂと、リーダー２４０とを含む。電子システム２００内の１つ又は複数の要素は、１つ又は複数のネットワーク２１０を介して互いに通信することができる。
【００３６】
ネットワーク２１０は、インターネット、イントラネット、エクストラネット、セルラーネットワーク、ローカルエリアネットワーク（ＬＡＮ）、Ｗｉ−Ｆｉネットワーク、ホームエリアネットワーク（ＨＡＮ）、メトロポリタンエリアネットワーク（ＭＡＮ）、ワイドエリアネットワーク（ＷＡＮ）、ブルートゥース(登録商標)ネットワーク、公衆網及び私設網などのうちの１つ又は複数を含む。
【００３７】
サーバ２２０は、メモリ２２４及びパターンマネージャ２２６と通信するプロセッサ２２２を含む。一例として、プロセッサ２２２は、メモリ２２４（ランダムアクセスメモリ（ＲＡＭ）、読み出し専用メモリ（ＲＯＭ）、及び／又はファームウェアなど）から命令又はデータを制御及び／又は受信するマイクロプロセッサ、中央処理装置（ＣＰＵ）、又は特定用途向け集積回路（ＡＳＩＣ）であって良い。一例として、パターンマネージャは、複数の基板パターン及び／又は基板のユニークなアイデンティティに関連付けられた情報を記憶する。
【００３８】
導電パターンを有する非導電性基板２３０Ａ及び２３０Ｂは、それぞれ、基板２３２と、基板の表面に配置された複数の導電体２３４と、２つの導電性幾何学的形状の間にそれぞれ配置された複数のスイッチ２３６と、タイマー２３８とを含む。導電体２３４は、互いに接続されて、導電線の端部に位置する導電性幾何学的形状に接続された導電線のパターンを形成する。スイッチ２３６は、開状態と閉状態との間で切り替え可能である。基板２３０Ｂは、スイッチ２３６及びタイマー２３８と通信するプロセッサ２３１をさらに含む。
【００３９】
一例として、各スイッチの開状態及び閉状態は、基板の異なるパターンを示す。例示的な実施形態では、特定の時系列で、スイッチをオン状態とオフ状態との間で切り替えることによって、追加データは基板に記憶される。
【００４０】
１つの例示的な実施形態では、電子タイマーは、基板がリーダーのタッチスクリーンディスプレイに隣接して位置する持続時間を記録する。該持続時間は、当該アプリケーションに関連する金銭的価値及びその他のような基板の特定の評価の変更に関連付けることができる。
【００４１】
リーダー２４０は、パターン認識装置２４１、メモリ２４４、タッチスクリーンディスプレイ２４６、ユーザインタフェース２４８、及び入出力（Ｉ／Ｏ）２４９と通信するコントローラ又はプロセッサ２４２を含む。一例として、パターン認識装置２４１は、基板がタッチスクリーンディスプレイ２４６に接触又は隣接するとき、基板の表面に形成されたパターンを読み取る。例示的な実施形態では、ユーザインタフェースは、カードに関連付けられたデータ又は画像、あるいは基板を読み取るときに許可又は実行されるアプリケーションを表示する。
【００４２】
図３は、例示的な実施形態に係る導電パターン３００を有する非導電性基板を示す。基板３００は、非導電性基板３１０と、該非導電性基板３１０の表面に配置された複数の導電体とを含む。導電体は、互いに接続されて、導電線３３０の端部に位置する導電性幾何学的形状又はタッチポイント３２０に接続された導電線３３０のパターンを形成する。複数のスイッチ３４０は、導電性幾何学的形状３２０の間に配置される。スイッチは、開状態と閉状態との間で切り替え可能である。
【００４３】
一例として、導電線及び導電性幾何学的形状は、基板のユニークＩＤに対応するパターンを形成する。パターンは、スイッチが開状態と閉状態との間で切り替えるときに変更可能である。いくつかの幾何学的形状及び／又はスイッチを増加させることによって、いくつかのユニークＩＤが増加することができる。
【００４４】
一例として、基板がリーダーのタッチスクリーンディスプレイに対して又は隣接して置かれるとき、基板に形成されたパターンは、導電線及び／又は導電性幾何学的形状が位置するタッチスクリーンディスプレイの座標における電界の変化をもたらす。リーダーのパターン認識装置は、電界の変化に基づいてパターンを認識する。
【００４５】
図４は、もう１つの例示的な実施形態に係る導電パターン４００を有する非導電性基板を示す。基板４００は、非導電性基板４１０と、該非導電性基板４１０の表面に配置された複数の導電体とを含む。導電体は、互いに接続されて、導電線４３０の端部に位置する導電性幾何学的形状４２０に接続された導電線４３０のパターンを形成する。複数のスイッチ４４０は、２つの導電性幾何学的形状４２０の間に配置される。一例として、パターンは、星形及び多角形を有する。
【００４６】
例示的な実施形態では、導電体は、転写箔プロセスによって形成される。接着層は、非導電性基板に部分的に塗布される。その後、金属箔層が転写プロセスによって塗布されて、基板上の導電線の端部に位置する導電性幾何学的形状に接続された導電線のパターンを形成する。スイッチ、例えば、ＭＥＭＳ又は光電スイッチは、ワイヤボンディング又はフリップチップボンディングによって２つの幾何学的形状の間に配置される。最後に、電磁波シールド材を塗布して、外部ソースからの干渉を低減する。シールド材は、そのシールド特性を維持しながら、ねじり及び張力に耐えるのに十分な機械的耐久性を有する。
【００４７】
もう１つの例示的な実施形態では、導電体は、非導電性基板に導電性インクを印刷することによって形成される。基板は、プラスチック、紙、カードボード、木材、ガラス、セラミック、布地、革又はそれらの組み合わせのような好ましくは撓やかで軽量な非導電性材料で製造される。一例として、導電性インクは、金属粉末又は金属フレークと混合される。
【００４８】
もう１つの例示的な実施形態では、導電体は、エッチング又はレーザ処理の後に非導電性基板に導電性シートを塗布して、不要な領域を除去することによって形成される。一例として、不要な領域は、レーザによって加熱されて蒸発し、残りの領域に所望のパターンを形成させる。
【００４９】
図５Ａは、例示的な実施形態に係る導電パターン５００を有する非導電性基板を示す。基板５００は、非導電性基板５１０と、該非導電性基板５１０の表面に配置された複数の導電体とを含む。導電体は、互いに接続されて、導電線５３０の端部に位置する導電性幾何学的形状又はタッチポイント５２０に接続された導電線５３０のパターンを形成する。
【００５０】
結合点５１５は、基板５１０に配置され、導電線５３０に接続される。複数のスイッチ５４０は、導電線のそれぞれの上に配置され、導電性幾何学的形状５２０と結合点５１５との間に配置される。基板５００は、スイッチ５４０及び結合点５１５と通信するプロセッサ５０５をさらに含む。プロセッサ５０５は、内蔵型電池により、又はインダクタンスを介して電力供給され得る。スイッチは、開状態と閉状態との間で切り替え可能であり、プロセッサ５０５によって符号化される。例えば、図５Ａに示すスイッチは、「１０１１」、「００１１」及び「１１１０」として符号化される。
【００５１】
例示的な実施形態では、結合点は、導電性幾何学形状とは反対側に位置する。もう１つの例示的な実施形態では、結合点は、導電性幾何学的形状と同一側に位置する。スイッチ及びプロセッサは、基板のいずれかの一側又は基板の両側に位置することができる。
【００５２】
一例として、ユーザがタッチスクリーンディスプレイに対して又はその近くに基板を置き、基板の結合点に自分の指を置くとき、基板に形成されたパターンは、導電線及び／又は導電性幾何学的形状が位置するタッチスクリーンディスプレイの座標における電界の変化をもたらす。１つの例示的な実施形態では、リーダーは、基板のパターンを復号し、読み取り可能なデータを生成する。
【００５３】
一例として、この読み取り可能なデータは、図５Ｂに示すようなテーブル５５０として示される。当業者であれば、データが提供、記憶され、様々な形態で送信され、テーブルが読み取り可能なデータを提供する基板の実例として提供されることを理解するであろう。
【００５４】
１つの例示的な実施形態では、基板は、スマートフォン又は名刺のような物品に取り付けられるか又は該物品で形成され、或いは該物品自体が基板として機能することができる。さらに、例示的な実施形態は、基板の特定のサイズ又は形状に限定されない。例えば、基板は、ハンドヘルド携帯デバイスの上又はその内部に設けられ、電子デバイス又は非電子デバイスに統合され得る。
【００５５】
図６は、例示的な実施形態に係る円筒型物品６１０の表面に取り付けられた導電パターン６３０を有する曲面非導電性基板の一例を示す。基材６３０は、可撓性であり、物品６１０から取り外し可能であっても良く、又は取り外し不可能であっても良く、円筒の外面の周りに部分的に巻き付けられる。
【００５６】
一例として、スマートフォンは、例示的な実施形態の基板を含む。もう１つの例として、スマートフォン又は他の携帯電子デバイスに対するケース又はカバーは、例示的な実施形態を含む。
【００５７】
図７は、例示的な実施形態に係る非導電性基板７３０を有するスマートフォン７１０を示す。実例として、基板７３０は、スマートフォン７１０の周囲に適合する取り外し可能なカバー７２０に接続されるか、又は該取り外し可能なカバー７２０内に形成される。
【００５８】
例示的な実施形態の基板は、もう１つのデバイス内に形成されるか、又は該デバイスと一体的に形成される、或いは該デバイスから取り外し可能であるか、又は除去可能である。
【００５９】
図８Ａは、例示的な実施形態に係る導電パターン８００を有する非導電性基板の断面図を示す。図８Ｂは、図８Ａに示す基板の上面図を示す。図８Ｂは、図８Ａに示す基板の底面図を示す。
【００６０】
基板８００は、非導電性基板８１０と、該非導電性基板８１０の上面、該非導電性基板の底面及び非導電性基板の内側に配置された複数の導電体とを含む。導電体は、基板の底面に配置された複数の導電性幾何学的形状８２０と、基板の上面に配置された導電線８３０と、基板の内部に埋め込まれた導電性ビア８３５とを含む。
【００６１】
１つ又は複数の結合点は、基板の表面に配置することができる。例えば、結合点８１５は、基板の上面に配置され、導電線８３０に接続される。導電性幾何形状は、導電性ビア又は導電性経路８３５及び導電線８３０を介して互いに接続される。複数のスイッチ８４０は、基板の上面上の導電線に配置される。スイッチは、開状態と閉状態との間で切り替え可能である。
【００６２】
一例として、ユーザがタッチスクリーンディスプレイに対して又はその近くに基板を置くとき、導電性形状８２０が作動・停止すると、基板から情報を送信する。例えば、ユーザが基板の結合点に自分の指を置いて、基板とタッチスクリーンディスプレイとの間の情報送信を作動するとき、基板の底面に形成された幾何学的形状は、導電性幾何学的形状が位置するタッチスクリーンディスプレイの座標における電界の変化をもたらす。本明細書で使用される「導電体」は、電気の流れを可能にする物体又は材料の種類である。導電性材料の例は、銅、銀、金、アルミニウム、亜鉛、ニッケル、黄銅、導電性インク、及び他の導電性材料（他の金属、グラファイト、ポリマー、及び半導体など）を含むが、これらに限定されない。
【００６３】
本明細書で使用される「金銭的価値」は、商品及び／又はサービスの購入に適用され得る金額である。金銭的価値は、カードによって支払われた金額よりも大きくても、小さくても、等しくても良く、正でも負でも良い。金銭的価値を更新して、取引又は他のイベントを反映することができる。
【００６４】
例示的な実施形態に係る方法及び装置は、例として提供され、１つの方法又は装置からの例は、もう１つの方法又は装置からの例を限定すると解釈されるべきではない。さらに、異なる図面内で議論された方法及び装置は、他の図面における方法及び装置に追加されるか又はそれと交換されても良い。さらに、特定の数値データ値（特定の数量、数、カテゴリなど）又は他の特定の情報は、例示的な実施形態を説明する実施例として解釈されるべきである。
【図１Ａ】
2019522262.tif 000003
【図１Ｂ】
2019522262.tif 000004
【図２】
2019522262.tif 000005
【図３】
2019522262.tif 000006
【図４】
2019522262.tif 000007
【図５Ａ】
2019522262.tif 000008
【図５Ｂ】
2019522262.tif 000009
【図６】
2019522262.tif 000010
【図７】
2019522262.tif 000011
【図８Ａ】
2019522262.tif 000012
【図８Ｂ】
2019522262.tif 000013
【図８Ｃ】
2019522262.tif 000014
【国際調査報告】
2019522262.tif 000015
2019522262.tif 000016